(57)【要約】【課題】  前面側からのみの作業で凹状の空間に容易に据置き型機器を据え付けることが可能であり、また、据置き型機器を強固に固定し転倒を防止することもできる据置き型機器の据え付け装置及び据置き型機器の据え付け方法を提供することを目的とする。【解決方法】  据え付け装置Ａは、床Ｃとの間に所定の離間寸法が確保されるように形成された据置き型機器Ｂを支持する支持部材２と、床Ｃと支持部材２との間に支持部材２とは分離独立した状態で介装された防水パン３と、からなる。支持部材２は前面が開放されるように構成された略門型の架橋部２ｂを備えている。【選択図】  図５
2011247456.tif 000002
【特許請求の範囲】
【請求項１】
貯水槽を内蔵し底面に複数の脚部を備えた据置き型機器を室内の床に据え付けるための据置き型機器の据え付け装置であって、
前記床との間に所定の離間寸法が確保されるように形成された前記据置き型機器を支持する支持部材と、
前記床と前記支持部材との間に、前記支持部材とは分離独立した状態で介装された防水パンと、からなることを特徴とする据置き型機器の据え付け装置。
【請求項２】
前記脚部が、前記据置き型機器の前面寄りに配置された前脚部と背面寄りに配置された後脚部とからなり、
前記支持部材が、その上面に、前記据置き型機器の据え付け作業時に前記防水パンの前端部付近から脚部固定位置まで前記後脚部を案内し得る連続的な平坦面を有するガイド部を備えたことを特徴とする請求項１に記載した据置き型機器の据え付け装置。
【請求項３】
前記ガイド部の両端縁には、前記後脚部の脱落を防止する立ち上がり片が形成されていることを特徴とする請求項２に記載した据置き型機器の据え付け装置。
【請求項４】
前記支持部材が、少なくとも前面側については略門形をなして前記防水パンを跨ぐように且つ前面が開放されるように構成され、
前記ガイド部の脚部固定位置には、前記脚部のボルト挿通孔に対応してボルト挿通孔が形成されていることを特徴とする請求項１乃至３のいずれか一項に記載した据置き型機器の据え付け装置。
【請求項５】
請求項２乃至４のいずれか一項に記載の据置き型機器の据え付け装置を用いた据置き型機器の据え付け方法であって、前記支持部材のガイド部に前記据置き型機器の後脚部を載置し、前記据置き型機器の前脚部を浮かし、前記後脚部を前記ガイド部の表面を摺動させて前記ガイド部の脚部固定位置まで移動させることを特徴とする据置き型機器の据え付け方法。
【発明の詳細な説明】
【技術分野】
【０００１】
本発明は、貯湯ユニット等の貯水槽を内蔵し底面に複数の脚部を備えた据置き型機器を、建物内部の床に据え付ける際に適用される据え付け装置、及びこの据え付け装置を用いた据置き型機器の据え付け方法に関するものである。
【背景技術】
【０００２】
従来より、集合住宅においては、従来より深夜電力温水器等の貯湯槽を内蔵した据置き型機器を室内に設置することがあった。また、近年では冷媒として二酸化炭素を使用し、貯湯タンクを併設したヒートポンプ式給湯機（商品名：エコキュート）が地球環境にやさしい給湯機器として注目を集めており、集合住宅への展開も進みつつある。
【０００３】
このような貯湯槽を内蔵した据置き型機器においては、点検やメンテナンスの際に水抜きを行うことがあり、排水設備は必須である。また、万が一の漏水による住戸の浸水を防止するために排水口を備えた防水パンを設置するのが好ましい。
【０００４】
上記据置き型機器は重量があるため、壁や他の機器等によって凹状となっている空間のように、作業者が据置き型機器の側面や背面側に立つことができない場合には、据置き型機器を持ち上げながら所定位置まで移動させ据え置くことが困難である。このような場合、床が平坦であれば、据置き型機器を床に置き前面側から押して床面を滑らせることで所定位置に据え置くことができる。しかし、床面に防水パンが存在する場合、一般に防水パンは縁の部分が床面から立ち上がった状態で設置されるので、据置き型機器を床面を滑らせることが困難であり、作業者は据置き型機器を前面側から持ち上げざるをえず多大な労力を要するという問題があった。
【０００５】
また、上記据置き型機器は、狭隘な空間にも設置しうるように、幅寸法に比べて高さ寸法が大きく設定されているのが一般的であり、地震時の転倒を防止するために、脚部をボルト等で強固に固定するのが好ましいが、一般に合成樹脂からなる防水パンの上で強固に固定するのは困難である。
【０００６】
特許文献１には、床に埋め込むことで縁（周側壁）が床面から立ち上ることが解消され機器類の設置に有利な防水パンの記載がある。しかし、防水パンを床下に埋め込む為に床下に充分な「懐」を確保する必要があり、その為に建物の床の構成を大きく改変しなければならず手間やコストがかかる虞がある。また、縁（周側壁）が床面から立ち上っていないとはいえ、前面側からの作業のみで、合成樹脂からなる防水パンに衝撃を与えないようにスムーズに所定位置まで移動させるのは難しい。更に、機器類の据え付けも単に防水パンの上面に据え置くしかなく、幅寸法や奥行寸法に比して高さ寸法が大きい機器類を据え付けた場合、地震時の転倒を防ぐための手段を別途具備させなければならない。
【先行技術文献】
【特許文献】
【０００７】
【特許文献１】実開平５−９６１６６号公報
【発明の概要】
【発明が解決しようとする課題】
【０００８】
本発明は、このような従来技術の有する課題を解決し、前面側からのみの作業で凹状の空間に容易に据置き型機器を据え付けることが可能であり、また、据置き型機器を強固に固定し転倒を防止することもできる据置き型機器の据え付け装置及び据置き型機器の据え付け方法を提供することを目的とするものである。
【課題を解決するための手段】
【０００９】
上記課題を解決する為の、本発明に係る据置き型機器の据え付け装置の第１の構成は、貯水槽を内蔵し底面に複数の脚部を備えた据置き型機器を室内の床に据え付けるための据置き型機器の据え付け装置であって、前記床との間に所定の離間寸法が確保されるように形成された前記据置き型機器を支持する支持部材と、前記床と前記支持部材との間に、前記支持部材とは分離独立した状態で介装された防水パンと、からなることを特徴とする。
【００１０】
本発明に係る据置き型機器の据え付け装置の第２の構成は、前記第１の構成において、前記脚部が、前記据置き型機器の前面寄りに配置された前脚部と背面寄りに配置された後脚部とからなり、前記支持部材が、その上面に、前記据置き型機器の据え付け作業時に前記防水パンの前端部付近から脚部固定位置まで前記後脚部を案内し得る連続的な平坦面を有するガイド部を備えたことを特徴とする。
【００１１】
本発明に係る据置き型機器の据え付け装置の第３の構成は、前記第１または第２の構成において、前記ガイド部の両端縁には、前記後脚部の脱落を防止する立ち上がり片が形成されていることを特徴とする。
【００１２】
本発明に係る据置き型機器の据え付け装置の第４の構成は、前記第１乃至第３のいずれかの構成において、前記支持部材が、少なくとも前面側については略門形をなして前記防水パンを跨ぐように且つ前面が開放されるように構成され、前記ガイド部の脚部固定位置には、前記脚部のボルト挿通孔に対応してボルト挿通孔が形成されていることを特徴とする。
【００１３】
本発明に係る据置き型機器の据え付け方法の構成は、前記第２乃至第４のいずれかの構成の据置き型機器の据え付け装置を用い、前記支持部材のガイド部に前記据置き型機器の後脚部を載置し、前記据置き型機器の前脚部を浮かし、前記後脚部を前記ガイド部の表面を摺動させて前記ガイド部の脚部固定位置まで移動させることを特徴とする。 
【発明の効果】
【００１４】
本発明に係る据置き型機器の据え付け装置の第１の構成によれば、据置き型機器の据え付け装置が、床との間に所定の離間寸法が確保されるように形成された支持部材と、前記床と支持部材との間に独立的に介装された防水パンと、からなる、つまり、据置き型機器を支持する支持部材と防水パンとが分離独立した構成であるので、防水パンを特殊な形状なものとする必要がなく、一般的な防水パンを用いて構成することができ、汎用性の高い装置とすることができる。
【００１５】
本発明に係る据置き型機器の据え付け装置の第２の構成によれば、支持部材が、その上面に、据置き型機器の据え付け作業時に防水パンの前端部付近から脚部固定位置まで橋脚部を案内し得る連続的な平坦面を有するガイド部を備えているので、据置き型機器の後脚部をガイド部に載置して据置き型機器の前脚部を浮かした状態で据置き型機器を前面から押し後脚部をガイド部の上面を摺動させることによって、据置き型機器を容易に所定位置に据え付けることができる。
【００１６】
本発明に係る据置き型機器の据え付け装置の第３の構成によれば、ガイド部の両端縁に、後脚部の脱落を防止する立ち上がり部が形成されているので、方向の制御がしにくい前面側のみからの据え付け作業において脚部をガイド部から脱落させることなく安全に所定位置に導くことができる。
【００１７】
本発明に係る据置き型機器の据え付け装置の第４の構成によれば、前面部には略門形の支持部材が用いられ前面が塞がれることがないので、三方が閉塞された凹状の空間に設置する場合であっても、前面側からの作業で容易にボルト固定することができる。また、防水パンの交換作業やメンテナンス作業も容易に行なうことができる。
【００１８】
本発明に係る据置き型機器の据え付け方法によれば、前面側のみからの作業であっても据置き型機器を容易に所定位置に据え付けることができる。
【図面の簡単な説明】
【００１９】
【図１】据置き型機器の据え付け状態の概要を示す図である。
【図２】据え付け装置を構成する脚部材及び支持部材の納まりを示す平面図である。
【図３】据え付け装置を構成する脚部材及び支持部材の納まりを示す断面図である。
【図４】据え付け装置の全体構成を示す図である。
【図５】据え付け装置へ据置き型機器を据え付けた状態の詳細を示す図である。
【発明を実施するための形態】
【００２０】
以下に、本発明に係る据置き型機器の据え付け装置及び据え付け方法の実施形態について、図を参照しながら具体的に説明する。図１に示すように、本実施形態において、据え付けの対象となる据置き型機器Ｂは、二酸化炭素を冷媒としたヒートポンプ式給湯機（商品名：エコキュート）に併設される据置き型貯湯ユニットであり、集合住宅の室内の床Ｃに設置された据え付け装置Ａの上に据え付けられている。
【００２１】
据置き型機器Ｂは、その外形寸法が、幅６００ｍｍ、奥行６３０ｍｍ、高さ１８３０ｍｍと、幅寸法や奥行寸法に比して高さ寸法が大きな形状となっており、この内部に最大で３００リットルの湯を蓄えうる貯湯槽が収容されている。箱状の本体２１の底面には３本の脚部２２を有しており、正面視中央の脚部２２（後脚部２２ａ）は背面寄りに配置され、正面視両端の脚部２２（前脚部２２ｂ、２２ｃ）は前面寄りに配置されている。夫々の脚部２２のベース板２２ａ１、２２ｂ１、２２Ｃには、転倒や移動の防止を目的としてボルト固定する為のボルト挿通孔が穿設されている。なお、前脚部２２ｂのベース板２２ｂ１は背面方向に延出しており、前面方向に延出した他の脚部のベース板２２ａ１、２２Ｃとは逆になっている（脚部２２の詳細図は５を参照）。
【００２２】
本集合住宅は、３０５ｍｍの平面モジュールを有する鉄骨造の工業化住宅でありその床Ｃは、図２に示すように、床スラブ１１、および床仕上げ層１２とからなる。床スラブ１１は、平面モジュールに基づく格子状の仮想の基準線上に割り付けられたＨ形鋼からなる梁１３（平面モジュールの整数倍の「呼び長さ」を有する複数種の梁部材の中から選択された梁１３）の上フランジに少なくとも短辺２辺が支持されるように架け渡された床パネル１１ａ、および、床パネル１１ａの目地部に充填された目地モルタル１１ｂと、からなる。床パネル１１ａは、軽量気泡コンクリート（ＡＬＣ）からなり、長さ寸法が平面モジュールの２乃至６倍、幅寸法が平面モジュールの１乃至２倍を有している。また、床仕上げ層１２は、フローリング材、クッションフロア（塩化ビニール等の発泡性合成樹脂からなる長尺シート材）等からなる。
【００２３】
据え付け装置Ａは、４つの脚部材１、支持部材２、および防水パン３で構成されている。脚部材１は、支持部材２を保持し、据置き型機器Ｂの荷重を、床スラブ１１を介することなく梁１３に伝達するための部材であり、図２、３に示すように、鋼板をコ字状に曲げ加工し、幅方向の中央位置において上下フランジとウェブに内接する鋼板からなる補強材１ａを溶接されて補強がなされている。脚部材１は、高さ寸法が床スラブ１１の厚さに等しく設定されており、芯−芯寸法で９１５ｍｍの間隔で平行に架けられた２本の梁１３の上フランジに２ケずつ載置されボルトにて固定されている。脚部材１と干渉する床パネル１１ａの長辺側の端縁部には脚部材１の位置、形状に対応した欠き込みがなされている。
【００２４】
支持部材２は、据置き型機器Ｂを直接的に支持する部材であり、図２、３に示すように、ベース部２ａと、２つの架橋部２ｂと、３つのガイド部２ｃとからなる。ベース部２ａは、矩形の鋼板からなり、脚部材１のボルト挿通孔に対応する位置にボルト挿通孔が穿設され、所定位置に排水管１４を抜く為の排水管用孔２ａ１が穿設されている。
【００２５】
架橋部２ｂは、床面と据置き型機器との間に空間（防水パン３を介装する為の空間、脚部２２をボルト固定する為の空間、メンテナンスの為の空間）を形成する機能を有するもので、鋼板がコ字状に曲げ加工されて水平片２ｂ１および起立片２ｂ２を有して略門形をなしており、更に幅方向の中心位置において、鋼板からなり起立片２ｂ２の外側に溶接された起立補強片２ｂ３と、同じく鋼板からなり水平片２ｂ１と起立片２ｂ２に内接するように溶接された水平補強片２ｂ４とによって補強がなされている。２つの架橋部２ｂは同一形状を有し、互いに平行な状態で前面が開放されるように平板部２Ｃに載置、溶接されている。
【００２６】
ガイド部２ｃは、その上面に据置き型機器Ｂの脚部２２を（仮に）載置した状態で背面方向に押して摺動させることによって脚部固定位置２ｃ３まで案内するとともに、脚部固定位置２ｃ３において脚部２２を固定する機能を有しており、防水パン３の前端部付近から脚部固定位置２ｃ３まで連続した平坦面を有する平板部２Ｃと、脚部２２の脱落を防止する為に平板部２Ｃの両側縁部を上方に折り曲げて形成された立ち上り部２ｃ２とからなる。ガイド部２ｃは架橋部２ｂの水平片２ｂ１の上面に載置、溶接されており、脚部固定位置２ｃ３には据置き型機器Ｂの脚部２２を固定する為に脚部２２のボルト挿通孔に対応する位置にボルト挿通孔が穿設されている。なお、前脚部２２ｃに対応する、向かって左側のガイド部２ｃは、前脚部２２ｃのベース板２２Ｃが手前側の架橋部２ｂよりも延出する為、該架橋部２ｂから持ち出した状態となっている。
【００２７】
上記構成の支持部材２は、４つの脚部材１の上フランジにボルトにて固定されている。
【００２８】
防水パン３は、図４に示すように、室内の洗濯機置場に使用される一般的な防水パン３であり、周縁の立ち上り部３ｂに対応した四角枠状のかさ上げ部材３ｃによって床仕上げ層１２より高いレベルに保持されている。支持部材２は防水パン３を跨ぐように構成されており、防水パン３は支持部材２とは接触あるい接合されることなく分離独立した状態で床Ｃと支持部材２との間に介装されている。防水パン３は前面側でメンテナンスの容易な位置に排水口３ａを備えており、排水口３ａは排水管１４に接続されている。排水管１４はかさ上げ部材３ｃによって形成された空間を利用して床仕上げ層１２の上を横引きされ、所定位置（ベース部２ａの排水管用孔２ａ１の位置）に形成された床スラブ１１の貫通孔１１ｃを経由して下階に延伸している。
【００２９】
上記構成の据え付け装置Ａを用いた据置き型機器Ｂの据え付け手順は以下の通りある。
（１）据置き型機器Ｂを、床仕上層１４の傷付きや破損を防止する為の養生材（毛布、キルティング生地等）に載せた状態で据え付け装置Ａが設けられた位置（据置き型機器Ｂの据え付け位置）の前方に配置する。
（２）据置き型機器Ｂを手前側に若干倒して後脚部２２ａを浮かせた状態として奥方向に移動させ、後脚部２２ａを中央のガイド部２ｃに仮載置する。
（３）据置き型機器Ｂの姿勢を元に戻して前脚部２２ｂを浮かせた状態として、更に、後脚部２２ａが中央のガイド部２ｃの平坦面（平板部２ｃ１の上面）を摺動するように（すなわち、据置き型機器Ｂの背面側の重量を中央のガイド部２ｃで支持させた状態で）奥方向に移動させ、後脚部２２ａを中央のガイド部２ｃに仮載置する。
（４）脚部２２を対応するガイド部２ｃの脚部固定位置２ｃ３まで移動させ、脚部２２のボルト挿通孔とガイド部２ｃのボルト挿通孔の位置を合わせて、防水パン３と支持部材２との間の空間や支持部材２と据置き型機器Ｂの本体２１との間の空間を利用してボルトを挿通するとともに該ボルトにナットを締結して脚部２２をガイド部２ｃに固定する。
（５）配管配線工事を行なう。
【００３０】
上記構成によれば、支持部材２と防水パン３とが分離独立した構成であるので、防水パン３を特殊な形状なものとする必要がなく、一般的な防水パンを用いて構成することができ、汎用性の高い装置とすることができる。
【００３１】
また、据置き型機器Ｂの後脚部２２ａを中央のガイド部２ｃに載置して据置き型機器の前脚部２ｂ、２ｃを浮かした状態で据置き型機器Ｂを前面から押し、後脚部２２ａを中央のガイド部２ｃの上面を摺動させることによって、据置き型機器Ｂを容易に所定位置に据え付けることができる。
【００３２】
また、ガイド部２ｃの両端縁に、脚部２２ａの脱落を防止する立ち上がり部２ｃ２が形成されているので、方向の制御がしにくい前面側のみからの据え付け作業において脚部２２ａをガイド部２ｃから脱落させることなく安全に所定位置に導くことができる。
【００３３】
また、支持部材２が略門形で前面が塞がれることがないので、三方が閉塞された凹状の空間に設置する場合であっても、前面側からの作業で容易にボルト固定することができる。また、防水パン３の交換作業やメンテナンス作業も容易に行なうことができる。
【００３４】
上記実施形態において、支持部材２は、平行に配列された２つの架橋部２ｂと３つのガイド部２ｃを有しているが、これらの部材構成は、据え付ける据置き型機器Ｂの重量、脚部２２の位置や形状等に応じて適宜設計すればよい。例えば、架橋部２ｂは幅広の略門形（コ字状断面）の部材単体で構成してもよく、コ字状の部材とL字状の部材との組み合わせによって平面視略Ｔ字状に構成してもよい。また、架橋部２ｂの水平片２ｂ１がガイド部２ｃを兼ねるような構成でもよい。
【００３５】
また、防水パン３は、一般流通品の中から据置き型機器Ｂの平面的寸法に応じたサイズのものを適宜選択して使用すればよい。
【００３６】
また、上記実施形態は、本発明を鉄骨造の工業化住宅に適用した例であるが、木造住宅においても適用は可能である。その際は、例えば、根太や大引き等の床構造材を荷重の作用する位置に対応して配置し、更に、転倒時の耐えうるようにボルト等によって支持部材を強固に固定するよう構成すればよい。
【００３７】
また、本発明は、貯湯ユニット以外にも洗濯機、水槽等の据え付けにも適用することができる。
【符号の説明】
【００３８】
Ａ  据え付け装置
Ｂ  据置き型機器
Ｃ  床
１  脚部材
１ａ  補強材
２  支持部材
２ａ  ベース部
２ａ１  排水管用孔
２ｂ  架橋部
２ｂ１  水平片
２ｂ２  起立片
２ｂ３  起立補強片
２ｂ４  水平補強片
２ｃ  ガイド部
２ｃ１  平板部
２ｃ２  立ち上り部
２ｃ３  脚部固定位置
３  防水パン
３ａ  排水口
３ｂ  立ち上り部
３ｃ  かさ上げ部材
１１  床スラブ
１１ａ  床パネル
１１ｂ  目地モルタル
１１ｃ  貫通孔
１２  床仕上げ層
１３  梁
１４  排水管
２１  本体
２２  脚部
２２ａ  後脚部
２２ｂ、ｃ  前脚部
２２ａ１、２２ｂ１、２２Ｃ  ベース板
【図１】
2011247456.tif 000003
【図２】
2011247456.tif 000004
【図３】
2011247456.tif 000005
【図４】
2011247456.tif 000006
【図５】
2011247456.tif 000007